(57)【要約】【課題】回転部材のシンボルに対して反射枠部材の反射光を斑なく、均等に照射することができること。部品点数を少なくすること。【解決手段】外周面にシンボルを有する回転部材と、この回転部材用機枠に、複数個の発光体を備えたプリント基板と、前記発光体が入り込む複数個の小窓を有し、かつ、中央部から囲い壁が前方へ外拡する反射枠部材とが固定された遊技機のシンボル照明装置に於いて、前記反射枠部材の中央部の内側に前記複数個の発光体が突出するように配設し、これらの発光体の間に各発光体の光を、回転部材の内側から少なくともシンボルに向かって反射させる反射面を有する突起部を設けたことを特徴とする遊技機のシンボル照明装置。【選択図】  図２
2004313313.tif 000002
【特許請求の範囲】
【請求項１】
外周面にシンボルを有する回転部材と、この回転部材用機枠に、複数個の発光体を備えたプリント基板と、前記発光体が入り込む複数個の小窓を有し、かつ、中央部から囲い壁が前方へ外拡する反射枠部材とが固定された遊技機のシンボル照明装置に於いて、前記反射枠部材の中央部の内側に前記複数個の発光体が突出するように配設し、これらの発光体の間に各発光体の光を、回転部材の内側から少なくともシンボルに向かって反射させる反射面を有する突起部を設けたことを特徴とする遊技機のシンボル照明装置。
【請求項２】
請求項１に於いて、反射枠部材の囲い壁の少なくとも一部が外側若しくは内側に湾曲状に反っていることを特徴とする遊技機のシンボル照明装置。
【請求項３】
請求項１に於いて、突起部は断面山形状に形成され、中央部の小窓からそれぞれ突出する発光ダイオートの中間に位置することを特徴とする遊技機のシンボル照明装置。
【請求項４】
請求項１に於いて、突起部の外周面は角錐乃至円錐であることを特徴とする遊技機のシンボル照明装置。
【請求項５】
請求項１に於いて、突起部は、各発光体に対してそれぞれ反射面を有する仕切り壁状に形成されていることを特徴とする遊技機のシンボル照明装置。
【請求項６】
請求項１に於いて、突起部の内部には、プリント基板に形成された固着具用貫通小孔と符合するメネジが形成され、プリント基板と反射枠部材とは前記貫通小孔及び前記メネジに螺合する固着具を介して一体的に結合していることを特徴とする遊技機のシンボル照明装置。
【請求項７】
請求項１に於いて、囲い壁は、円形の周壁、或いは楕円形の周壁、或いは上下左右の壁を有する多角形の周壁であることを特徴とする遊技機のシンボル照明装置。
【請求項８】
請求項１に於いて、反射枠部材は、開口縁が矩形状のトレー型であり、上下の壁の外壁面に取付け端板が突出形成されていることを特徴とする遊技機のシンボル照明装置。
【請求項９】
請求項１に於いて、プリント基板は、機枠の前側壁と反射枠部材の上下の取付け端板との間に複数個の固着具を介してサンドイッチ状に挟着されることを特徴とする遊技機のシンボル照明装置。
【請求項１０】
請求項１に於いて、プリント基板に位置決め用の被係合部が形成され、一方、反射枠部材の裏側に前記被係合部に係合する係合部が形成されていることを特徴とする遊技機のシンボル照明装置。
【発明の詳細な説明】
【０００１】
【発明の属する技術分野】
本発明は、パチンコ遊技機、帯状の回転部材を有する遊技機、回転リールを有する遊技機など遊技機のシンボル照明装置に関する。特に本発明は、回転部材の周方向にシンボルが設けられた遊技機に適合する。
【０００２】
【従来の技術】
出願人は、先行技術文献情報の開示義務として、（１）特開平９−３２０５３４（Ｐ１９９７−３２０５３４Ａ）号公報を記載する。この公報の図５に記載されている反射枠部材は、垂直壁状の中央部から囲い壁（左右上下壁）が前方へ外拡する。プリント基板は囲い壁の左側壁に固定され、２個のランプがソケットを介して囲い壁内に位置している。この実施例の照明部は、基本的には複数個のランプを有するプリント基板と、トレー型の反射枠部材とから成るので、ランプが放出した光を反射枠部材の囲い壁の内壁面で反射し、帯状の回転部材のシンボルに対して照射するものである。しかし、この実施例は、ランプが放出した光を囲い壁の内壁面のみで反射するものであるから、拡散効率が十分でない。また、ランプが垂直壁状の中央部の内壁面と平行になるように左側壁の内壁面から突出しているために、ランプの直接光が強すぎ、回転部材のシンボルがスポット的に照射されるという問題点がある。
【０００３】
（２）出願人は、特開平１１−１５５９９８号公報も記載する。この公報の図４に記載されている反射枠部材は複数個の反射板で構成されている。すなわち、回転リール型の回転部材の外側に平面Ｕ字型の第１反射板と、平面Ｖ字型の第２反射板と、平面Ｌ型状の第３反射板とをそれぞれ個別的に配設している。この実施例は、回転部材のシンボルに対して反射枠部材の反射光を斑なく・均等に照射することができるというものの、反射板の数が多すぎて、各部材の組み合わせが容易でないという問題点がある。
【０００４】
（３）出願人は、特開２００３−２９６７４号公報も記載する。この実施例は、複数個の発光ダイオードを有するプリント基板を囲い壁の後方に取付け、囲い壁内に複数個の発光ダイオードを配設した構成である。複数個の発光ダイオードが放出する光は、囲い壁の内壁面で反射し、回転部材の内側からシンボルに照射する。この実施例は、（１）と同じ問題点を有しいていので、発光ダイオードと表示シートとの間に光拡散シートを設ける必要がある。
【０００５】
【発明が解決しようとする課題】
本発明の第１の目的は、遊技機の表示窓に位置する回転部材のシンボルに対して反射枠部材の反射光を斑なく（スポット的ではなく）、均等に照射すること。換言すれば、複数個の発光体からの光を、囲い壁の反射面及び発光体の中間に位置する突起部の外壁反射面を利用してあらゆる方向に拡散し、プレイヤーの視認性を高めること（第１実施例）。本発明の第２の目的は、部品点数を少なくすると共に、機枠にプリント基板と反射枠部材とを安定的（ガタガタしない）に固定することができること（第１実施例）。本発明の第３の目的は、前記目的に加え、プリント基板と反射枠部材とを簡単に結合することができること（第２実施例）。
【０００６】
【課題を解決するための手段】
本発明の遊技機のシンボル照明装置は、外周面にシンボルを有する回転部材と、この回転部材用機枠に、複数個の発光体を備えたプリント基板と、前記発光体が入り込む複数個の小窓を有し、かつ、中央部から囲い壁が前方へ外拡する反射枠部材とが固定された遊技機のシンボル照明装置に於いて、前記反射枠部材の中央部の内側に前記複数個の発光体が突出するように配設し、これらの発光体の間に各発光体の光を、回転部材の内側から少なくともシンボルに向かって反射させる反射面を有する突起部を設けたことを特徴とする。
【０００７】
ここで「囲い壁」とは、中央部に対する概念であり、スリバチ状の周壁、ラッパ状の周壁、上下左右の壁を有する多角形の周壁、楕円形の周壁がそれぞれ含まれる。また、「中央部」には、垂直壁、やや弧状の壁がそれぞれ含まれる。また「突起部」には、少なくとも中央部から囲い壁の開口縁まで延設するものを含み、かつ、各発光体に対してそれぞれ反射面を有する仕切り壁状のものも含まれる。ここで「仕切り壁状の突起部」とは、各発光体から放出される光が相互に干渉することを防ぐために設けられる仕切りとは異なり、断面が山形状の反射面をより広く形成することを目的とするものである。従って、例えば、高さ方向の寸法を小さくした場合や囲い壁の端部まで延設しない場合には、この仕切り壁状の突起部によって反射される光と仕切り壁状の突起部に影響されない光とがそれぞれ発生することになる。なお、中央部は、反射部材の配設如何によっては、傾斜壁或いは水平壁となる。
【０００８】
【発明の実施の形態】
図１乃至図１０を参照に本発明の第１実施例を説明する。図１は本発明が適用できる遊技機（例えばスロットマンシ）の概略正面図である。遊技機１の外観を簡単に説明する。２は中央部のメダル投入口、３はメダル投入口よりも上方に設けられた上部パネル、４はメダル投入口よりも下方に設けられた下部パネル、５はメダル放出口、６はメダル受け部である。７は中央部のタッチ式操作手段である。上部パネル３の表示窓８からは、複数個（例えば９個）の回転部材９のシンボル（数字、図形など）１０が見える。操作手段７を操作すると、図示しない制御手段、駆動モータ等を介して回転部材９が回転及び停止する。
【０００９】
なお、前記表示窓８の各形状は、四角形に限定するものではない。例えば六角形、楕円形、円形などの表示窓８であっても良い。また、個々の表示窓８の大きさや形状に対応してシンボルの態様も変る。
【００１０】
遊技機１の個々の表示窓８に配設された各回転部材９内には、図２及び図３で示すように、本発明の主要部材が組み込まれている。本発明のシンボル照明装置Ｘを説明する。９は外周面にシンボル１０を有する筒状の回転部材である。この回転部材９の一端開口には、駆動モータ用取付け部１１が設けられている。この取付け部１１は、単数又は複数のネジ孔を有する円形状中央部分１１ａと、外側の環状部分１１ｂと、環状部分１１ｂと中央部分１１ａとを放射状に連結する複数本のアーム１１ｃとを有する。回転部材９の他端部は、機枠、駆動モータ、反射枠部材等の部材を組み込むことができるように開口１２している。
【００１１】
１３は駆動モータ（例えばステッピングモータ）である。駆動モータ１３は、ケース１３ａの中心部に出力軸１３ｂを有する。この出力軸１３ｂと回転部材９とが、前記骨組み状の取付け部１１及び第１固着具１４を介して一体となる。したがって、出力軸１３ｂが回転すると回転部材９も回転する。
【００１２】
１５は回転部材用機枠である。駆動モータ１３は、ケース１３ａの上下の突起部及び複数個の第２固着具１６を介して機枠１５の一つの側壁１５ａの外壁面に添設される。したがって、リール型の回転部材９は、駆動モータ１３を介して機枠１５に間接的に固定される。機枠１５には、軸孔、ネジ孔、配線用切欠部、固着具用嵌合孔などが形成されている。
【００１３】
図２に示す機枠１５の左側壁１５ａを基準にすると、機枠１５の上下は開放している。１５ｂは左側壁１５ａと直交する前側壁である。前側壁１５ｂは、右縁から中央部寄りの部位まで矩形状の切欠部１７を有している。また、前側壁１５ｂの右縁の上下には、内側に交差する端板部１８，１８が連設している。また、前側壁１５ｂの中央部よりの部位には、後述する固着具用嵌合孔１９が形成されている。
【００１４】
一方、１５ｃは左側壁１５ａと直交する後側壁である。後側壁１５ｃは前側壁１５ｂと対向している。後側壁１５ｃも前側壁１５ｂと同様に形成されているので、切欠部等に同一の符号を付す。機枠１５は各端板部１８，１８を介して遊技機１内の支持部材に固定される。
【００１５】
２０は中央部に複数個（例えば２個）の発光体２１，２１を備えたプリント基板である。２個の発光体は、所要の間隔を有して水平状態に配設されている。また発光体２１，２１は、プリント基板２０の左端部側に多少オフセットして設けられている。プリント基板２０は四角形に形成されている。またプリント基板２０は、機枠１５の前側壁１５ｂと略同一の大きさである。
【００１６】
プリント基板２０には、複数個の小孔が形成されている。すなわち、２３は発光体２１，２１の中間に形成された一つの貫通小孔である。この貫通小孔２３には、機枠１５の前側壁１５ｂの内壁面側から嵌合孔１９を介して第３固着具２４が差し込まれる。第３固着具用２４は、後述する反射枠部材３０の反射用突起部３７のメネジ４１と螺合する。
【００１７】
したがって、プリント基板２０は第３固着具用２４を介して反射枠部材３０に固定される。一方、２５はプリント基板２０の上下の端部に所要の間隔を有して形成された貫通小孔である。４個の貫通小孔２５は、機枠１５の前側壁１５ｂの上下端部に形成したネジ孔２６とそれぞれ符合する。４個の貫通小孔２５は、プリント基板２０の右端部側にオフセットして設けられている。
【００１８】
３０は前記発光体２１，２１がそれぞれ入り込む複数個の小窓３１，３１を有し、かつ、垂直壁状の中央部３２から上下・左右の囲い壁３３，３４，３５，３６が前方へ外拡する反射枠部材である。本実施例では、反射枠部材３０は、中央部３２が垂直壁のトレー型に形成されている。
【００１９】
また、反射枠部材３０の開口縁は矩形状であると共に、囲い壁の一部に相当する左右の側壁３５，３６は、それぞれ外側に湾曲状に反っている。「囲い壁」は、中央部に対する概念である。囲い壁には、スリバチ状の周壁、ラッパ状の周壁、上下左右の壁を有する多角形の周壁、競輪の走行用バンクのように楕円形の周壁がそれぞれ含まれる。
【００２０】
囲い壁３３，３４，３５，３６は、反射効率を高めるために、その一部又は全部が湾曲状に反っている。さらに、上下の壁３３，３４の外壁面には、横長の取付け端板３８，３８がそれぞれ突出形成されている。
３９は端面Ｌ型の取付け端板３８，３８に所要間隔を有して形成された複数個の取付け孔である。これらの取付け孔３９は、前述したプリント基板２０の貫通小孔２５及び機枠１５のネジ孔２６に符合する。反射枠部材３０は前記取付け孔３９，２５，２６及び第４固着具４０を介して機枠１５に安定的に固定される。
【００２１】
したがって、プリント基板２０は、機枠１５の前側壁１５ｂと反射枠部材３０の上下の取付け端板３８，３８との間にサンドイッチ状に確実に挟着される。プリント基板２０と機枠１５が一体になると、２個の発光体２１，２１は反射枠部材の中央部の小窓３１，３１からそれぞれ前方へ飛び出る。
【００２２】
３７はこれらの発光体２１，２１の間に設けられ、かつ、各発光体２１，２１の光を、回転部材９の内側からシンボル１０に向かって反射させる円錐状又は角錐状の反射面３７ａを有する突起部である。本実施例では、突起部３７の外壁反射面３７ａは円錐である。図６で示すように、突起部は断面山形状に形成され、内部に第３固着具２４が螺合するメネジ４１が形成されている。
【００２３】
上記構成に於いて、まず、図９を参照にして反射枠部材３０を機枠１５に固定する場合について説明する。プリント基板２０の表面に反射枠部材３０を固定するので、プリント基板２０の端部の貫通小孔２５に反射枠部材３０の取付け孔３９を合わせる。第３固着具２４をプリント基板２０の中央部の貫通小孔２３に差し込み、反射枠部材３０のメネジ４１に螺合させる。プリント基板２０と反射枠部材３０とが一体的に仮結合したならば、反射枠部材３０の取付け孔３９を機枠１５のネジ孔２６に合わせる。そして、第４固着具４０をネジ孔２６に螺合させる。
【００２４】
プリント基板２０及び反射枠部材３０を機枠１５の前側壁１５ｂに固着すると、第３固着具２４の頭部は、機枠１５の嵌合孔１９に嵌合する。したがって、第３固着具２４が邪魔にならない。プリント基板２０及び反射枠部材３０は、機枠１５に確実に固着される。
【００２５】
次に、図１０を参照にして反射枠部材３０と発光体２１の関係を説明する。発光体２１は、本実施例では、光が広い範囲に拡散される拡散タイプの発光ダイオード（ＬＥＤ）を使用しているので、例えば短い矢印で示すように、あらゆる方向へ光が放出される。発光ダイオードから放出された光は、遊技機の表示窓に位置する回転部材９のシンボル１０に対して直接に照射する直接光（実線矢印）と、反射枠部材３０の囲い壁の内面及び突起部３７の外壁面３７ａにそれぞれ反射した後に前記シンボル１０に対して間接に照射する反射光（点線矢印）とに区別される。
【００２６】
本実施例では、上下・左右の囲い壁３３，３４，３５，３６の内壁面が反射面となる。また、突起部３７の外壁面３７ａも反射面になる。実線矢印と点線矢印は、便宜上示したものであり、発光ダイオードから放出された光は、表示窓８に位置する回転部材９の一つのシンボル１０に対して反射枠部材３０の反射光を斑なく（スポット的ではなく）、均等に照射する。
【００２７】
【実施例】
回転部材９は、リール型であるが、これに限定されない。複数個の案内ローラを介して回転する無端状の回転帯でも良い。反射枠部材３０の中央部は垂直壁であるが、多少弧状でも良い。反射枠部材３０突起部は断面山形状に形成される。ここで「断面山形状」とは、単純な円錐の断面形状、すい台の断面形状、半円球の断面形状、球台の断面形状など、複数個の発光体の光をそれぞれ広域に拡散させる機能を有する外壁反射面の形状を言う。
【００２８】
発光体の中間に位置する突起部は、複数個、二分割型などであっても良い。また、突起部の大きさ（寸法）は、反射面や囲い壁の形状、発光体から放出される光の強度などを考慮して適宜に設定することができるから、大きさも限定されるものではない。要は、図１１で示すように、突起部３７は複数個（例えば４個）の発光体２１の中にあれば良い。図１１の実施例では、プリント基板２０に合計４個の発光体２１が適宜に配設され、各発光体２１は、反射枠部材３０の突起部３７の同心円上に形成された小窓３１Ａから囲い壁３３，３４，３５，３６の内側に飛び出ている。
【００２９】
また、反射枠部材の囲い壁の少なくとも一部が外側若しくは内側に湾曲状に反っている。
【００３０】
次に、第１実施例と異なる実施例について説明する。なお、この実施例は、第１実施例の主要部に他の構成要件を付加したものであるから、説明にあたって、第１実施例と同一又は同様（機能が同一）の部分には、同一又は同様の符号を付し、重複する説明を省略する。
【００３１】
図１２乃至図１４に示す第２実施例に於いて、前記第１実施例に加味した目的は、プリント基板２０Ａと反射枠部材３０Ａとを簡単に結合することである。
そこで、付加的要件は、プリント基板２０Ａに位置決め用の複数個の被係合部（例えば係合小孔）４５を形成し、一方、反射枠部材３０Ａの裏側に、前記被係合部４５に係合する複数個の係合部（例えば係合突起）４６を形成している。
【００３２】
したがって、第２実施例では、プリント基板２０Ａの係合小孔４５に反射枠部材３０Ａの係合突起４６を嵌め込むと、プリント基板２０Ａの貫通小孔２３と反射枠部材３０Ａの突起部３７のメネジ４１とが一致するので、両方の部材２０Ａ，３０Ａを、第３固着具２４を介して簡単に結合することができる。
【００３３】
【発明の効果】
以上の説明から明らかなように、本発明にあっては、次に列挙するような効果がある。
（１）遊技機の表示窓に位置する回転部材のシンボルに対して反射枠部材の反射光を斑なく（スポット的ではなく）、均等に照射することができる。したがって、プレイヤーからシンボルを見た場合、表示窓のシンボルの全体が均等に点滅して見える。
（２）複数個の発光体からの光を、一つの反射枠部材の反射面及び複数個の発光体の中間に位置する一つ又は複数個の突起部の反射面を利用して効率的に拡散することができる。また、部品点数が少なくなり、各部材の組み合わせが容易になる。
（３）第２実施例では、プリント基板２０Ａと反射枠部材３０Ａとを簡単に結合することができる。
【図面の簡単な説明】
図１乃至図１１は本発明の第１実施例を示す各説明図。図１２乃至図１４は本発明の第２実施例を示す各説明図。
【図１】本発明が適用できる遊技機の概略正面図。
【図２】本発明の第１実施例を示す分解斜視図。
【図３】回転部材と他の部材との関係を示す正面からの説明図。
【図４】反射枠部材の斜視図。
【図５】反射枠部材の正面図。
【図６】図５の６−６線概略断面図。
【図７】図５の７−７線概略断面図。
【図８】図５の８−８線概略断面図。
【図９】プリント基板と反射枠部材とを結合した概略説明図。
【図１０】照射の作用を示す説明図。
【図１１】第１実施例に含まれる変形例（発光体が４個）。
【図１２】本発明の第２実施例を示す分解斜視図。
【図１３】正面からの説明図。
【図１４】プリント基板と反射枠部材とを結合した概略断面図。
【符号の説明】
Ｘ…照明装置、１…遊技機、８…表示窓、９…回転部材、１０…シンボル、１３…駆動モータ、１４，１６，２４，４０…固着具、１５…機枠、１５ａ…左側壁、１５ｂ…前側壁、２０，２０Ａ…プリント基板、２１…発光体、２２，２３…貫通小孔、３０，３０Ａ…反射枠部材、３１…小窓、３２…中央部、３３…上壁、３４…下壁、３５…左側壁、３６…右側壁、３７…突起部、３８…取付け端板、３９…取付け孔、４５…被係合部、４６…係合部。
【図１】
2004313313.tif 000003
【図２】
2004313313.tif 000004
【図３】
2004313313.tif 000005
【図４】
2004313313.tif 000006
【図５】
2004313313.tif 000007
【図６】
2004313313.tif 000008
【図７】
2004313313.tif 000009
【図８】
2004313313.tif 000010
【図９】
2004313313.tif 000011
【図１０】
2004313313.tif 000012
【図１１】
2004313313.tif 000013
【図１２】
2004313313.tif 000014
【図１３】
2004313313.tif 000015
【図１４】
2004313313.tif 000016